(57)【要約】【課題】光学ピックアップ装置のコイルボビンのトラッキングコイル巻付部の剛性を高める。【解決手段】対物レンズ２を内周面側に配置し、トラッキング制御コイル３９及びフォーカス制御コイル４０を外周面側に配置した光学ピックアップ装置用のコイルボビン３１である。前記コイルボビン３１の外周面側には、前記トラッキング制御コイル３９を周囲に巻き付ける柱状のトラッキング制御コイル巻付部３７を周方向に所定の間隔をもって複数個立設し、これら複数個のトラッキング制御コイル巻付部３７の先端部には、前記コイルボビン３１の外周面側に沿って前記フォーカス制御コイルを巻き付けるためのフォーカス制御コイル巻付部３８を設けた。【選択図】　図１０
2004139673.tif 000002
【特許請求の範囲】
【請求項１】
対物レンズを内周面側に配置し、フォーカス制御コイル及びトラッキング制御コイルを外周面側に配置した光学ピックアップ装置の枠状のコイルボビンであって、
前記外周面側に、前記トラッキング制御コイルを周囲に巻き付ける柱状のトラッキング制御コイル巻付部を周方向に所定の間隔をもって複数個立設し、これら複数個のトラッキング制御コイル巻付部の先端部には、前記外周面側の周方向に沿って環状に前記フォーカス制御コイルを巻き付けるためのフォーカス制御コイル巻付部を設けた
ことを特徴とする光学ピックアップ装置のコイルボビン。
【請求項２】
光源から出射されたレーザ光を集光して光学ディスクの信号記録面に照射する対物レンズと、前記対物レンズのフォーカシング制御及びトラッキング制御を行なうアクチュエータと、を備え、
前記アクチュエータは、コイルボビンと、該コイルボビンの両側部に一端が取付けられていて前記対物レンズをフォーカス制御方向及びトラッキング制御方向に移動可能に支持している一対の線状の支持部材と、これら支持部材の他端を支持している固定部と、を備えた光学ピックアップ装置において、
前記コイルボビンは、多角形の枠状に形成されていて，内周面側に前記対物レンズを支持するレンズ支持部を備え、外周面側には前記トラッキング制御コイルを周囲に巻き付ける柱状のトラッキング制御コイル巻付部を周方向に所定の間隔をもって複数個備え、これら複数個のトラッキング制御コイル巻付部の先端部には前記外周面側の周方向に沿って環状に前記フォーカス制御コイルを巻き付けるためのフォーカス制御コイル巻付部を備えている
ことを特徴とする光学ピックアップ装置。
【請求項３】
光源から出射されたレーザ光を集光して光学ディスクの信号記録面に照射する対物レンズと、前記対物レンズのフォーカシング制御及びトラッキング制御を行なうアクチュエータと、前記対物レンズに対向する部分に開口部を有していて前記アクチュエータを覆うカバーと、を備え、
前記アクチュエータは、コイルボビンと、該コイルボビンの両側部に一端が取付けられていて前記対物レンズをフォーカス制御方向及びトラッキング制御方向に移動可能に支持している一対の線状の支持部材と、これら支持部材の他端を支持している固定部と、を備えた光学ピックアップ装置において、
前記コイルボビンは、多角形の枠状に形成されていて，内周面側に前記対物レンズを支持するレンズ支持部を備え、外周面側には前記トラッキング制御コイルを周囲に巻き付ける柱状のトラッキング制御コイル巻付部を周方向に所定の間隔をもって複数個備え、これら複数個のトラッキング制御コイル巻付部の先端部には前記外周面側の周方向に沿って環状に前記フォーカス制御コイルを巻き付けるためのフォーカス制御コイル巻付部を備え、
前記フォーカス制御コイル巻付部は、前記カバーの内面側の開口部の周縁部に接触して前記コイルボビンの上動範囲を規制するストッパー部を備えている
ことを特徴とする光学ピックアップ装置。
【発明の詳細な説明】
【０００１】
【発明の属する技術分野】
本発明は、光ディスクや光磁気ディスク等の光学ディスクに対して情報信号の記録（書込み）及び／又は再生（読出し）を行う光学ピックアップ装置及び該光学ピックアップ装置に使用するコイルボビンに関するものである。
【０００２】
【従来の技術】
光学ディスクに対して情報信号の記録及び／又は再生を行う光学ピックアップ装置として、図２０に示すものが知られている。
【０００３】
前記光学ピックアップ装置１０１は、光源から出射されたレーザ光を集光して光学ディスクの信号記録面に照射する対物レンズ１０２と、対物レンズ１０２のフォーカシング制御及びトラッキング制御を行なうアクチュエータ１０３と、光学ユニット（図示省略）と、を備えている。
【０００４】
そして、前記光学ユニットのレーザーから出射したレーザ光を前記対物レンズ１０２を通して前記光学ディスクの信号記録面に照射し、反射されて戻ってきたレーザ光を前記光学ユニットの検出器内に入射してフォーカス誤差信号、トラッキング誤差信号、情報信号の検出を行なうようになっている。
【０００５】
前記アクチュエータ１０３は、前記対物レンズ１０２を取付けた可動部としてのコイルボビン１０４と、該コイルボビン１０４の一端に取付けられていて前記対物レンズ１０２をフォーカス制御方向及びトラッキング制御方向に移動（変移）可能に支持している複数の線状の支持部材（サスペンション）１０５と、これら複数の線状の支持部材１０５の他端を支持している固定部１０６と、を備えている。前記固定部１０６は、ベース部１０７上に取付けられている。
【０００６】
図２１（Ｂ）に示すように、前記コイルボビン１０４は、外周側に環状のフォーカス制御コイル巻付部１０８を備えていると共に、前記フォーカス制御コイル巻付部１０８を挟んで一対のトラッキング制御コイル巻付部１０９ａ，１０９ｂを備えている。図２１（Ａ）に示すように、前記一対のトラッキング制御コイル巻付部１０９ａ，１０９ｂは、前記コイルボビン１０４の四隅部に配置されている。
【０００７】
そして、図２２に示すように、前記フォーカス制御コイル巻付部１０８にフォーカス制御コイル１１０を巻き付けたのち、前記一対のトラッキング制御コイル巻付部１０９ａ，１０９ｂに掛け渡すようにしてトラッキング制御コイル１１１を巻き付けている。
【０００８】
【発明が解決しようとする課題】
ところで、前記従来のコイルボビン１０４は、前述したように、フォーカス制御コイル巻付部１０８を挟んで一対のトラッキング制御コイル巻付部１０９ａ，１０９ｂを設け、これら一対のトラッキング制御コイル巻付部１０９ａ，１０９ｂに掛け渡すようにトラッキング制御コイル１１１を巻き付ける構成になっていたために、次に述べるような問題点があった。
（１）図２１（ｂ）に示すように、フォーカス制御コイル巻付部１０８を挟んでトラッキング制御コイル巻付部１０９ａ，１０９ｂが２つに分断された状態になっているために、個々のトラッキング制御コイル巻付部１０９ａ，１０９ｂの剛性や機械的強度が脆弱になり、折れたり曲がったりし易い。
（２）トラッキング制御コイル１１１を巻き付けたときに、一対のトラッキング制御コイル巻付部１０９ａ，１０９ｂが前記トラッキング制御コイル１１１を巻き付けた際の張力により互いに接近する方向に撓んで、アクチュエータ１０３のフォーカス制御及びトラッキング制御性能に悪影響を及ぼす。
【０００９】
本発明は、従来のコイルボビンのトラッキング制御コイル巻付部が折れたり曲がったりし易いという問題点を解決し、トラッキング制御コイル巻付部が折れたり曲がったりするのを防止できるコイルボビンを提供することを目的としてなされたものである。
【００１０】
【課題を解決するための手段】
本発明は、対物レンズを内周面側に配置し、フォーカス制御コイル及びトラッキング制御コイルを外周面側に配置した光学ピックアップ装置のコイルボビン、又は前記コイルボビンを使用した光学ピックアップ装置において、
前記コイルボビンの外周面側に、前記トラッキング制御コイルを周囲に巻き付ける柱状のトラッキング制御コイル巻付部を周方向に所定の間隔をもって複数個立設し、これら複数個のトラッキング制御コイル巻付部の先端部には、前記外周面側の周方向に沿って環状にフォーカス制御コイルを巻き付ける構成、即ちトラッキング制御コイルの外側にフォーカス制御コイルを巻き付ける構成とすることにより、
従来のコイルボビンがフォーカス制御コイルの外側にトラッキング制御コイルを巻き付ける構成になっていることが原因で２つに分断されていたトラッキング制御コイル巻付部を一体化して、トラッキング制御コイル巻付部の剛性を向上させた。
【００１１】
【発明の実施の形態】
以下、本発明の光学ピックアップ装置及び該光学ピックアップ装置を搭載した光情報記録及び／又は再生装置を図面を参照して説明する。
【００１２】
図１、図２に示すように、光学ピックアップ装置１は、光源から出射されたレーザ光を集光して光学ディスクの信号記録面に照射する対物レンズ２と、前記対物レンズ２のフォーカシング制御及びトラッキング制御を行なうアクチュエータ３と、前記アクチュエータ３を覆うカバー４と、を備えている。
【００１３】
図３、図４に示すように、前記対物レンズ２は、レンズ本体部２１と、該レンズ本体部２１の外周部に設けられた枠部２２と、該枠部２２に設けられた一対の熱かしめ結合用のボス部２３，２４を備えている。
【００１４】
前記一対の熱かしめ結合用のボス部２３，２４は、後に説明するレンズホルダーとしてのコイルボビン３１に対物レンズ２を熱かしめ結合するためのものである。そして、前記枠部２２の底面２２ａが対物レンズ２をコイルボビン３１に取付ける際の取付基準面になっている。前記対物レンズ２１は、ポリオレフィン系等の合成樹脂によって一体的に形成されている。
【００１５】
図１に示すように、前記アクチュエータ３は、前記レンズホルダー（可動部）としてのコイルボビン３１と、該コイルボビン３１の左右両側部に一端が取付けられていて前記対物レンズ２をフォーカス制御方向及びトラッキング制御方向に移動可能に支持している左右各一対の線状の支持部材（サスペンション）３２と、これら支持部材３２の他端を支持している固定部３３と、を備えている。
【００１６】
図５〜図７に示すように、前記コイルボビン３１は、第１〜第８までの８つの面３１ａ〜３１ｈを備えた略八角形の枠状に形成されていて，内周面側に前記対物レンズ２の枠部２２を支持する枠支持部３４を備えていると共に、該枠支持部３４に前記一つのボス部２３，２４を挿入する一対のボス部挿入孔３５，３６を有している。
【００１７】
そして、図８、図９に示すように、前記コイルボビン３１は、枠支持部３４上に前記対物レンズ２の枠部２２の底面（取付基準面）２２ａを支持すると共に、前記ボス部挿入孔３５，３６に前記対物レンズ２のかしめ結合用のボス部２３，２４を挿入して、これらボス部２３，２４の先端を熱かしめ結合することにより前記対物レンズ２を取付け支持するようになっている。２３ａ、２３ｂは、熱かしめにより形成された拡径部である。
【００１８】
また、図１０に示すように、前記コイルボビン３１は、外周面側にトラッキング制御コイルを周囲に巻き付ける柱状のトラッキング制御コイル巻付部３７…３７を複数個備えていると共に、これら複数個のトラッキング制御コイル巻付部３７…３７の先端部には、前記コイルボビン３１の外周面側に沿ってフォーカス制御コイルをリング状に巻き付けるためのフォーカス制御コイル巻付部３８を備えている。
【００１９】
前記トラッキング制御コイル巻付部３７は、前記コイルボビン３１の第１，第３，第５，第７の各面３１ａ，３１ｃ，３１ｅ，３１ｇに設けられている。前記トラッキング制御コイル巻付部３７は、前記各面に略垂直に立設されていて、図１１に示すように、断面略コ字状に形成されていて、その周囲にトラッキング制御コイルを略方形に巻き付けるようになっている。
【００２０】
前記フォーカス制御コイル巻付部３８は、フォーカス制御コイル巻付面３８ａと、該フォーカス制御コイル巻付面３８ａを挟むようにしてその上下両側部に設けられた第１，第２のコイル巻付位置決め部３８ｂ，３８ｃと、を備えている。
【００２１】
前記第１の面３１ａ及び第３の面３１ｃに設けたフォーカス制御コイル巻付部３８の上側の第１のコイル巻付位置決め部３８ａは、一端部に後に説明するカバー４の開口部５１ａの周縁部に接触して、コイルボビン３１の上方への移動範囲を規制するストッパー部３８ｄを備えている。前記ストッパー部３８ｄは、前記第１の面３１ａ及び第３の面３１ｃに設けたフォーカス制御コイル巻付部３８の上側の第１のコイル巻付位置決め部３８ａの一端部を角状に突出させることにより形成されている。また、前記第４の面３１ｄ及び第８の面３１ｈには、複数のコイル端子３８ｅ…３８ｅが設けられている。
【００２２】
図１２に示すように、前記複数のトラッキング制御コイル巻付部３７…３７には、トラッキング制御コイル３９が巻き付けられ、これらトラッキング制御コイル巻付部３７…３７の先端に設けられたフォーカス制御コイル巻付部３８…３８には、前記トラッキング制御コイル３９の周囲を囲むようにして環状にフォーカス制御コイル４０が巻き付けられている。
【００２３】
図１３に示すように、前記トラッキング制御コイル３９及びフォーカス制御コイル４０は、巻始部３９ａ，４０ａは所謂絡げ無しに巻き始められ、巻終部３９ｂ，４０ｂのみが緩み止めの為に前記コイル端子３８ｅに絡げられている。図１４に示すように、前記巻終部３９ａ，４０ａは、可動部側基板４１のＶ溝４１ａ内を引き回された上で前記第４の面３１ｄ及び第８の面３１ｈにハンダ付けされている。
【００２４】
そして、図１５示すように、前記第４の面３１ｄ及び第８の面３１ｈに設けた可動部側基板４１に各一対の線状の支持部材３２の一端が接続されている。前記線状の支持部材３２は、リン青銅、ベリリウム銅等のバネ性と導電性を有する金属線によって形成されている。
【００２５】
前記可動部側基板４１に一端を取付けられた線状の支持部材３２は、前記対物レンズ２の光軸と直交する方向に延びて他端が固定部３３に取付けられている。
【００２６】
前記固定部３３は、前記線状の支持部材３２の端部を接続した固定部側基板４２を備えた合成樹脂製の調整プレート４３と、金属製のダンパーホルダー４４と、を備えている。前記合成樹脂製の調整プレート４３と金属製のダンパーホルダー４４は、調整プレート４３に設けた熱かしめ結合用のボス部４３ａをダンパーホルダー４４に設けたボス部挿入孔４４ａに挿入し、前記ボス部４３ａの先端を熱かしめして拡径部４３ｂを形成し、且つ前記調整プレート４３と金属製のダンパーホルダー４４の間の隙間Ｇに熱硬化性エポキシ接着剤等の接着剤を注入してこれを硬化させることにより結合されている。
【００２７】
図１に示すように、前記固定部３３及び可動部としてのコイルボビン３１は、合成樹脂製のベース部４５上に配置されている。前記ベース部４５上には、前記コイルボビン３１を挟むようにして一対のマグネット４６，４７が接着剤等により直付けされている。
【００２８】
また、前記ベース部４５上には、前記ボビン３１を囲むように第１，第２の側壁部４８，４９が設けられている。前記第１の側壁部４８は、次に詳しく説明するカバー４を係合するための第１，第２のカバー係合部５０ａ、５０ｂを外側面に備え、前記第２の側壁部４９は、第３，第４のカバー係合部５０ｃ，５０ｄを外側面に備えている。
【００２９】
前記カバー４は、前記対物レンズ２に対向する部分に開口部５１ａを備えたカバー本体部（上面部）５１と、前記カバー本体部５１の一側部に設けられた第１，第２の脚部５２，５３と、前記カバー本体部５１の他側部に設けられた第３，第４の脚部５４，５５と、を備えていて、前記第１，第２の脚部５２，５３と第３，第４の脚部５４，５５で、前記第１側壁部４８と第２の側壁部４９を挟着するようになっている。
【００３０】
前記第１〜第４の脚部５２〜５５は、前記第１〜第４のカバー係合部５０ａ〜５０ｄにそれぞれ係合する第１〜第４の被係合部５６ａ〜５６ｄを備えている。また、前記カバー本体部５１は、前記開口部５１ａの両側部に前記一対のマグネット４６，４７の上面を押圧する第１，第２の付勢部５７，５８を備えている。
【００３１】
前記カバー４は、ステンレススチール薄板等の金属板を所定の形状に打ち抜いた後に前記第１〜第４の脚部５２〜５５及び前記第１，第２の付勢部５７，５８を切り起こす（折り曲げる）ことにより形成され、或いは合成樹脂により一体的にモールド成型されている。
【００３２】
前記カバー４は、前述のような構成であって、前記第１，第２の脚部５２，５３と、前記第３，第４の脚部５４，５５の間に、前記第１，第２の側壁部４８，４９を挿入すれば、前述したように、前記第１〜第４の脚部５２〜５５に設けた被係合部５６ａ〜５６ｄと前記第１〜第４のカバー係合部５０ａ〜５０ｄとが係合すると共に、前記カバー本体部５１に設けた付勢部５７，５８が前記一対のマグネット４６，４７の上面を押圧する。
【００３３】
従って、図１６に示すように、前記カバー４は、前記付勢部５７，５８の前記マグネット４６，４７を押圧する際の反力で前記第１，第２の側壁部４８，４９に対して矢印Ａ方向に押し上げられて、前記第１〜第４のカバー係合部５０ａ〜５０ｄの下端部に、前記第１〜第４の被係合部５６ａ〜５６ｄの端部を圧着させて、前記カバー４を前記第１，第２の側壁部４８，４９にガタツキなく確実に取付けることを可能にするのである。
【００３４】
また、前記カバー４を取付けた状態において、図１７に示すように、前記開口部５１ａの外側に前記コイルボビン３１のストッパー部３８ｄは、前記カバー４の内面で、且つ前記開口部５１ａの外側に位置している。従って、光学ピックアップ装置１を落としたような場合でも、前記ストッパー部３８ｄがカバー本体部５１の開口部５１ａの周縁部に接触して、前記線状の支持部材３２が過剰に撓むのを防止するようになっている。
【００３５】
図１に示すように、前記ベース部４５は、一側部にガイド軸挿入孔４５ａを備え、他側部にガイド片４５ｂを備えている。そして、図１８に示すように、前記ベース部４５は、シャーシ６１にスライド可能に取付けられている。
【００３６】
前記シャーシ６１は、その略中央部に矩形状の開口部６２を備えていて、該開口部６２の一方の長片側の側部に沿ってベース部ガイド軸６３を備え、開口部６２の他方の長片側の側部に沿ってガイド片支持部６４を備えている。
【００３７】
前記シャーシ６１は、前記ベース部ガイド軸６３を前記ガイド軸挿入孔４５ａに挿入し、前記ガイド片支持部６４で前記ガイド片４５ｂを支持することにより、前記ベース部４５及び光学ピックアップ装置１を前記開口部６２内においてスライド可能に支持している。
【００３８】
前記ベース部４５は、駆動機構７１により前記ベース部ガイド軸６３及びガイド片支持部６４に沿ってスライド移動する。
【００３９】
前記駆動機構７１は、モータ７２と、該モータ７２の回転を前記ベース部４５の直進運動に変えるラックアンドピニオン７３或いはリードスクリュー等で構成されている。
【００４０】
また、前記シャーシ６１の矩形状の開口部６２の一方の短片側の枠辺上にはディスク回転駆動機構８１が配置されている。前記ディスク回転駆動機構８１は、ターンテーブル８２と、該ターンテーブル８２を回転させるモータ８３とを備えていて、前記ターンテーブル８２上にチャッキングされた光学ディスクをモータ８３で回転させるようになっている。
【００４１】
図１９に示すように、前記対物レンズ２の下方には光学ユニット９１が配置されている。前記光学ユニット９１は、レーザ光を発射する光源となる半導体レーザ９２と、回折格子（グレーティング）９３と、半透過ミラー（ビームスプリッタプレート）９４と、フォトダイオード等からなる光検出器９５等を備えている。これらの光学部品は、所定の光通路９６を有するハウジング９７内に所定の位置関係を持って配置されていて、レーザ光の通過が自在とされている。
【００４２】
前記半導体レーザ９２から発射されたレーザ光は、回折格子９３を通過して半透過ミラー９４により反射されて９０°曲げられ、対物レンズ２に入射される。この対物レンズ２に入射されたレーザ光は、光学ディスクＤのディスク基板側に照射され、このディスク基板を透過して信号記録面上に集光される。
【００４３】
前記光ディスクＤの信号記録面上に集光されたレーザ光は、この信号記録面に記録されている情報信号に応じて強度を変調されて反射される。この信号記録面で反射されたレーザ光は、対物レンズ２及び半透過ミラー９４を透過して、光検出器９５の受光面上に集光される。
【００４４】
そして、戻りレーザ光が、その光軸に対して４５°傾斜して配置された半透過ミラー９４を透過することにより非点収差を生じ、それぞれの光束が光検出器９５により受光される。この光検出器９５は、複数の部分に分割された受光面を有しており、各部分毎に独立に、受光した光量に応じたレベルの光検出信号を出力する。この光検出器９５より出力される複数の光検出信号間の演算処理を行うことにより、光学ディスクＤから読み出された情報の再生信号（ＲＦ信号）と、フォーカスエラー信号及びトラッキングエラー信号を得ることができる。そして、前記再生信号に基づいて、光学ディスクＤに記録されている情報の再生操作が行われるのである。
【００４５】
また、運搬時等において衝撃によって前記コイルボビン３１が揺れ動いた場合に、前記コイルボビン３１のストッパー部３８ｄが前記カバー４のカバー本体部５１の内面側の開口部５１ａの周縁部に接触して、前記線状の支持部材３２が過剰に撓んで曲がってしまったりするのを防止する。なお、図面に示す実施例では、トラッキング制御コイル巻付部３７の断面形状を図１１に示すようにコ字状に形成した場合を示したが、前記トラッキング制御コイル巻付部３７の断面形状は、方形や長方形、楕円形その他の形状であっても良い。また、実施例では、前記第１の面３１ａ及び第３の面３１ｃに設けたフォーカス制御コイル巻付部３８の第１のコイル巻付位置決め部３８ａにストッパー部３８ｄを設けた場合を示したが、第５の面３１ｅ及び第７の面３１ｇに設けたフォーカス制御コイル巻付部３８の第１のコイル巻付位置決め部３８ａにストッパー部３８ｄを設けても良い。
【００４６】
【発明の効果】
本発明の光ディスク装置には次に述べるような効果がある。
（１）請求項１のコイルボビン及び請求項２の光学ピックアップ装置は、内側面側に対物レンズを取付けた枠状のコイルボビンの外側面側にトラッキング制御コイルを周囲に巻き付ける柱状のトラッキング制御コイル巻付部を周方向に所定の間隔をもって複数個立設し、これら複数個のトラッキング制御コイル巻付部の先端部には、前記外周面側の周方向に沿って環状にフォーカス制御コイルを巻き付け、トラッキング制御コイルの外側にフォーカス制御コイルを巻き付ける構成としたので、従来のフォーカス制御コイルの外側にトラッキング制御コイルを巻き付ける構成のコイルボビンにおいては、やむを得ずに２つに分断されていたトラッキング制御コイル巻付部を一体化して、トラッキング制御コイル巻付部の剛性を向上させることが出来る。
（２）請求項３の光学ピックアップ装置は、光学ピックアップ装置を誤って落として、光学ピックアップ装置に強い衝撃が加わったような場合でも、コイルボビンに設けたストッパー部がカバーの開口部の周縁部当たって、前記線状の支持部材が過剰に撓むのを防止してこれを保護することができる。
【図面の簡単な説明】
【図１】光学ピックアップ装置の斜視図（カバーを取外した状態）。
【図２】光学ピックアップ装置の斜視図（カバーを取付けた状態）。
【図３】対物レンズの平面図。
【図４】対物レンズの底面図。
【図５】ボビンの平面図。
【図６】ボビンの正面図。
【図７】図６のＡ−Ａ断面図。
【図８】対物レンズのボス部をボビンのボス部挿入孔に挿入した状態の断面図。
【図９】対物レンズのボス部の先端に熱かしめ加工を施した状態の断面図。
【図１０】コイルボビンの斜視図。
【図１１】図１０のＢ−Ｂ断面図。
【図１２】コイルボビンにトラッキング制御コイル及びフォーカス制御コイルコイルを巻き付けた状態の斜視図。
【図１３】（Ａ）コイルの巻始部と巻終部を示す平面図、（Ｂ）コイルの巻始部と巻終部を示す正面図。
【図１４】（Ａ）と（Ｂ）は、コイルの巻終部の処理を示す説明図。
【図１５】（Ａ）はコイルボビンを線状の支持部材に取付けた状態の側面図、（Ｂ）は同平面図、（Ｃ）は同正面図。
【図１６】カバーを取付けた状態の断面図。
【図１７】カバーとストッパー部の関係を示す平面図。
【図１８】光上方記録及び／又は再生装置の斜視図。
【図１９】光学ユニットの説明図。
【図２０】従来の光学ピックアップ装置の平面図。
【図２１】（Ａ）は従来のコイルボビンの平面図、（Ｂ）は同側面図、（Ｃ）は（Ｂ）のＣ−Ｃ断面図。
【図２２】コイルボビンにコイルを巻き付けた状態の一部破断面図。
【符号の説明】
１…光学ピックアップ装置、２…対物レンズ、３…アクチュエータ、４…カバー、３１…コイルボビン、３７…トラッキング制御コイル巻付部、３８…フォーカス制御コイル巻付部、３８ａ…ストッパー部、３９…トラッキング制御コイル、４０…フォーカス制御コイル、５１…カバー本体部、５１ａ…開口部。
【図１】
2004139673.tif 000003
【図２】
2004139673.tif 000004
【図３】
2004139673.tif 000005
【図４】
2004139673.tif 000006
【図５】
2004139673.tif 000007
【図６】
2004139673.tif 000008
【図７】
2004139673.tif 000009
【図８】
2004139673.tif 000010
【図９】
2004139673.tif 000011
【図１０】
2004139673.tif 000012
【図１１】
2004139673.tif 000013
【図１２】
2004139673.tif 000014
【図１３】
2004139673.tif 000015
【図１４】
2004139673.tif 000016
【図１５】
2004139673.tif 000017
【図１６】
2004139673.tif 000018
【図１７】
2004139673.tif 000019
【図１８】
2004139673.tif 000020
【図１９】
2004139673.tif 000021
【図２０】
2004139673.tif 000022
【図２１】
2004139673.tif 000023
【図２２】
2004139673.tif 000024